(57)【要約】【課題】加飾シートの縞模様を効果的に目立たなくさせることを目的とする。【解決手段】加飾シート２０は、複数の網点を含む意匠層３１を有した絵柄部２４と、絵柄部２４の非形成部である複数の透過部２６と、を有する。透過部は、加飾シートの端辺２０ａ〜２０ｄに対して傾斜した方向ＬＤＴに線状に延びている。【選択図】図１２
2022001409.tif 000002
【特許請求の範囲】
【請求項１】
複数の網点を含む意匠層を有した絵柄部と、
前記絵柄部の非形成部である複数の透過部と、を備える加飾シートであって、
前記透過部は、前記加飾シートの端辺に対して傾斜した方向に線状に延びている、加飾シート。
【請求項２】
前記透過部は、前記端辺に対して１０°以上８０°以下の角度をなす方向に線状に延びている、請求項１に記載の加飾シート。
【請求項３】
複数の網点を含む意匠層を有した絵柄部と、
前記絵柄部の非形成部である複数の透過部と、を備える加飾シートであって、
前記透過部は、前記複数の網点に含まれる同一色の網点の配列方向に対して傾斜した方向に線状に延びている、加飾シート。
【請求項４】
前記透過部は、前記複数の網点に含まれる同一色の網点の配列方向に対して１０°以上８０°以下の角度をなす方向に線状に延びている、請求項３に記載の加飾シート。
【請求項５】
前記複数の透過部の配列ピッチと、前記複数の網点に含まれる同一色の網点の配列ピッチとの差の大きさが、５μｍ以上である、請求項１〜４のいずれか一項に記載の加飾シート。
【請求項６】
各透過部は、互いに対向して当該透過部の長手方向に延びる第１長手方向縁および第２長手方向縁を有し、
前記第１長手方向縁および前記第２長手方向縁は、蛇行しながら前記長手方向に延びている、請求項５に記載の加飾シート。
【請求項７】
前記第１長手方向縁は、前記長手方向に直交する方向における前記第２長手方向縁から離間する側に突出した複数の外側凸部と、前記長手方向に直交する方向における前記第２長手方向縁に近接する側に突出した複数の内側凸部と、を含み、
前記第１長手方向縁の前記長手方向において隣り合う二つの外側凸部の前記長手方向に沿った離間長さは、前記複数の網点に含まれる同一色の網点の配列ピッチよりも小さく、
前記第２長手方向縁は、前記長手方向に直交する方向における前記第１長手方向縁から離間する側に突出した複数の外側凸部と、前記長手方向に直交する方向における前記第１長手方向縁に近接する側に突出した複数の内側凸部と、を含み、
前記第２長手方向縁の前記長手方向において隣り合う二つの外側凸部の前記長手方向に沿った離間長さは、前記複数の網点に含まれる同一色の網点の配列ピッチよりも小さい、請求項６に記載の加飾シート。
【請求項８】
前記絵柄部および前記透過部に対面して位置し且つ少なくとも前記絵柄部を支持する透明な基材部を、更に備え、
前記透過部の少なくとも一方の端部は、前記基材部の縁部まで延びている、請求項１〜７のいずれか一項に記載の加飾シート。
【請求項９】
請求項１〜８のいずれか一項に記載された加飾シートを備える、加飾シート付き表示装置。
【請求項１０】
前記加飾シートを重ねられた表示装置を更に備える、請求項９に記載の加飾シート付き表示装置。
【請求項１１】
前記透過部は、前記表示装置に含まれる同一色の画素の配列方向と非平行な方向に線状に延びている、請求項１０に記載の加飾シート付き表示装置。
【請求項１２】
前記透過部は、前記同一色の画素の前記配列方向に対して１０°以上８０°以下の角度をなす方向に線状に延びている、請求項１１に記載の加飾シート付き表示装置。
【請求項１３】
前記複数の透過部の配列ピッチと、前記表示装置に含まれる同一色の画素の配列ピッチとの差の大きさが、５μｍ以上である、請求項１１又は１２に記載の加飾シート付き表示装置。
【請求項１４】
各透過部は、互いに対向して当該透過部の長手方向に延びる第１長手方向縁および第２長手方向縁を有し、
前記第１長手方向縁は、前記長手方向に直交する方向における前記第２長手方向縁から離間する側に突出した複数の外側凸部と、前記長手方向に直交する方向における前記第２長手方向縁に近接する側に突出した複数の内側凸部と、を含み、
前記第１長手方向縁の前記長手方向において隣り合う二つの内側凸部の前記長手方向に沿った離間長さは、同一色の画素の配列ピッチよりも小さく、
前記第２長手方向縁は、前記長手方向に直交する方向における前記第１長手方向縁から離間する側に突出した複数の外側凸部と、前記長手方向に直交する方向における前記第１長手方向縁に近接する側に突出した複数の内側凸部と、を含み、
前記第２長手方向縁の前記長手方向において隣り合う二つの内側凸部の前記長手方向に沿った離間長さは、同一色の画素の配列ピッチよりも小さい、請求項１１〜１３のいずれか一項に記載の加飾シート付き表示装置。
【請求項１５】
複数の網点を含む意匠層を有した絵柄部と、前記絵柄部の非形成部である複数の透過部と、を有するシート状部材を備え、
巻取軸線を中心として前記シート状部材を巻き取ってなり、
前記透過部は、前記シート状部材の長尺方向と非平行な方向に線状に延びている、シート状部材の巻取体。
【請求項１６】
前記透過部は、前記長尺方向に対して１０°以上８０°以下の角度をなす方向に線状に延びている、請求項１５に記載のシート状部材の巻取体。
【発明の詳細な説明】
【技術分野】
【０００１】
本発明は、加飾シート、加飾シート付き表示装置、及び、シート状部材の巻取体に関する。
【背景技術】
【０００２】
例えば特許文献１に開示されているように、表示装置に重ねて用いられる加飾シート（スクリーン）が公知となっている。この加飾シートは、絵柄部と、絵柄部に設けられた開口部からなる透過部と、を有している。透過部は、加飾シートの背面に配置された表示装置からの画像光を通過させる。絵柄部は、表示装置の表示が停止している際に意匠を表示する。この加飾シートによれば、表示装置による所望の表示を可能としながら、表示を行っていない場合に表示装置を隠蔽して意匠を表示することができる。
【先行技術文献】
【特許文献】
【０００３】
【特許文献１】特開２００１−３３１１３２号公報
【発明の概要】
【発明が解決しようとする課題】
【０００４】
ところが、このような加飾シートにおいて種々の意匠を試したところ、絵柄部に表示される意匠に依存して、縞模様が観察されることがあった。このような外観上の不具合について鋭意検討を重ねたところ、透過部の配置の規則性と意匠を形成する絵柄部における網点の配置の規則性との干渉に起因したモアレが、縞模様の発生原因であること、更には、透過部の構成によって縞模様を効果的に目立たなくさせ得ることを確認した。すなわち、本発明は、加飾シートの縞模様を効果的に目立たなくさせることを目的とする。
【課題を解決するための手段】
【０００５】
本発明による第１の加飾シートは、
複数の網点を含む意匠層を有した絵柄部と、
前記絵柄部の非形成部である複数の透過部と、を備える加飾シートであって、
前記透過部は、前記加飾シートの端辺に対して傾斜した方向に線状に延びている。
【０００６】
本発明による第１の加飾シートにおいて、前記透過部は、前記端辺に対して１０°以上８０°以下の角度をなす方向に線状に延びていてもよい。
【０００７】
本発明による第２の加飾シートは、
複数の網点を含む意匠層を有した絵柄部と、
前記絵柄部の非形成部である複数の透過部と、を備える加飾シートであって、
前記透過部は、前記複数の網点に含まれる同一色の網点の配列方向に対して傾斜した方向に線状に延びている。
【０００８】
本発明による第２の加飾シートにおいて、前記透過部は、前記複数の網点に含まれる同一色の網点の配列方向に対して１０°以上８０°以下の角度をなす方向に線状に延びていてもよい。
【０００９】
本発明による第１及び第２の加飾シートにおいて、前記複数の透過部の配列ピッチと、前記複数の網点に含まれる同一色の網点の配列ピッチとの差の大きさが、５μｍ以上となっていてもよい。
【００１０】
本発明による第１及び第２の加飾シートにおいて、
各透過部は、互いに対向して当該透過部の長手方向に延びる第１長手方向縁および第２長手方向縁を有し、
前記第１長手方向縁および前記第２長手方向縁は、非直線部分を含んでいてもよい。
【００１１】
本発明による第１及び第２の加飾シートにおいて、各透過部の幅は、その長手方向に沿って変化するようにしてもよい。
【００１２】
本発明による第１及び第２の加飾シートにおいて、
各透過部は、互いに対向して当該透過部の長手方向に延びる第１長手方向縁および第２長手方向縁を有し、
前記第１長手方向縁および前記第２長手方向縁は、蛇行しながら前記長手方向に延びていてもよい。
【００１３】
本発明による第１及び第２の加飾シートにおいて、
前記第１長手方向縁は、前記長手方向に直交する方向における前記第２長手方向縁から離間する側に突出した複数の外側凸部と、前記長手方向に直交する方向における前記第２長手方向縁に近接する側に突出した複数の内側凸部と、を含み、
前記第１長手方向縁の前記長手方向において隣り合う二つの外側凸部の前記長手方向に沿った離間長さは、前記複数の網点に含まれる同一色の網点の配列ピッチよりも小さく、
前記第２長手方向縁は、前記長手方向に直交する方向における前記第１長手方向縁から離間する側に突出した複数の外側凸部と、前記長手方向に直交する方向における前記第１長手方向縁に近接する側に突出した複数の内側凸部と、を含み、
前記第２長手方向縁の前記長手方向において隣り合う二つの外側凸部の前記長手方向に沿った離間長さは、前記複数の網点に含まれる同一色の網点の配列ピッチよりも小さくなっていてもよい。
【００１４】
本発明による第１及び第２の加飾シートは、
前記絵柄部および前記透過部に対面して位置し且つ少なくとも前記絵柄部を支持する透明な基材部を、更に備え、
前記透過部の少なくとも一方の端部は、前記基材部の縁部まで延びていてもよい。
【００１５】
本発明による加飾シート付き表示装置は、上述した本発明による第１及び第２の加飾シートのいずれかを備える。
【００１６】
本発明による加飾シート付き表示装置は、前記加飾シートを重ねられた表示装置を更に備えるようにしてもよい。
【００１７】
本発明による加飾シート付き表示装置において、前記透過部は、前記表示装置に含まれる同一色の画素の配列方向と非平行な方向に線状に延びていてもよい。
【００１８】
本発明による加飾シート付き表示装置において、前記透過部は、前記同一色の画素の前記配列方向に対して１０°以上８０°以下の角度をなす方向に線状に延びていてもよい。
【００１９】
本発明による加飾シート付き表示装置において、前記複数の透過部の配列ピッチと、前記表示装置に含まれる同一色の画素の配列ピッチとの差の大きさが、５μｍ以上となっていてもよい。
【００２０】
本発明による加飾シート付き表示装置において、
各透過部は、互いに対向して当該透過部の長手方向に延びる第１長手方向縁および第２長手方向縁を有し、
前記第１長手方向縁は、前記長手方向に直交する方向における前記第２長手方向縁から離間する側に突出した複数の外側凸部と、前記長手方向に直交する方向における前記第２長手方向縁に近接する側に突出した複数の内側凸部と、を含み、
前記第１長手方向縁の前記長手方向において隣り合う二つの内側凸部の前記長手方向に沿った離間長さは、同一色の画素の配列ピッチよりも小さく、
前記第２長手方向縁は、前記長手方向に直交する方向における前記第１長手方向縁から離間する側に突出した複数の外側凸部と、前記長手方向に直交する方向における前記第１長手方向縁に近接する側に突出した複数の内側凸部と、を含み、
前記第２長手方向縁の前記長手方向において隣り合う二つの内側凸部の前記長手方向に沿った離間長さは、同一色の画素の配列ピッチよりも小さくなっていてもよい。
【００２１】
本発明による巻取体は、
複数の網点を含む意匠層を有した絵柄部と、前記絵柄部の非形成部である複数の透過部と、を有するシート状部材を備え、
巻取軸線を中心として前記シート状部材を巻き取ってなり、
前記透過部は、前記シート状部材の長尺方向と非平行な方向に線状に延びている。
【００２２】
本発明による巻取体において、前記透過部は、前記長尺方向に対して１０°以上８０°以下の角度をなす方向に線状に延びていてもよい。
【発明の効果】
【００２３】
本発明によれば、加飾シートに観察され得る縞模様を効果的に目立たなくさせることできる。
【図面の簡単な説明】
【００２４】
【図１】図１は、一実施の形態を説明するための図であって、加飾シート付き表示装置の一例を概略的に示す分解斜視図である。
【図２】図２は、図１の加飾シート付き表示装置の横断面図である。
【図３】図３は、図１の加飾シート付き表示装置を示す平面図であって、表示装置を表示状態とした状態を示している。
【図４】図４は、図１の加飾シート付き表示装置に含まれる遮光シートを示す平面図である。
【図５】図５は、図１の加飾シート付き表示装置に含まれる加飾シートの一例を示す部分平面図である。
【図６】図６は、図５の加飾シートの絵柄部を示す部分平面図である。
【図７Ａ】図７Ａは、図６の絵柄部における第１網点の配列を説明するための平面図である。
【図７Ｂ】図７Ｂは、図６の絵柄部における第２網点の配列を説明するための平面図である。
【図７Ｃ】図７Ｃは、図６の絵柄部における第３網点の配列を説明するための平面図である。
【図８】図８は、図２に対応する図であって、加飾シート付き表示装置の他の例を示す図である。
【図９】図９は、図１の加飾シート付き表示装置に含まれる加飾シートの製造方法の一例を説明するための図である。
【図１０】図１０は、図１の加飾シート付き表示装置に含まれる加飾シートの製造方法の一例を説明するための図である。
【図１１】図１１は、図１の加飾シート付き表示装置に含まれる加飾シートに用いられる巻取体を、巻取体から切り出された加飾シートとともに示す斜視図である。
【図１２】図１２は、第１網点および第３網点を省略して図５の加飾シートを示す部分拡大平面図である。
【図１３】図１３は、図５の加飾シートに含まれる透過部の一例を示す部分拡大平面図である。
【図１４】図１４は、図１に対応する図であって、加飾シート付き表示装置の更に他の例を示す斜視図である。
【図１５】図１５は、図２に対応する図であって、図１４の加飾シート付き表示装置の横断面図である。
【図１６】図１６は、図１４の加飾シート付き表示装置に含まれる表示装置の画素配列を示す平面図である。
【発明を実施するための形態】
【００２５】
以下、図面を参照して本発明の一実施の形態について、図示された具体例を参照して説明する。なお、本件明細書に添付する図面においては、図示と理解のしやすさの便宜上、適宜縮尺および縦横の寸法比等を、実物のそれらから変更し誇張してある。
【００２６】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００２７】
また、本明細書において用いる、形状や幾何学的条件ならびにそれらの程度を特定する、例えば、「平行」、「垂直」、「同一」等の用語や長さや角度の値等については、厳密な意味に縛られることなく、同様の機能を期待し得る程度の範囲を含めて解釈することとする。
【００２８】
図１は、本発明による一実施の形態の加飾シート付き表示装置１を概略的に示す分解斜視図である。図１に示されるように、加飾シート付き表示装置１は、表示面１１を有する表示装置１０と、表示面１１に対面して配置された加飾シート２０と、を有している。なお、図示されている例では、加飾シート付き表示装置１は、平板状に示されているが、加飾シート付き表示装置１の各構成要素が湾曲することで、加飾シート付き表示装置１が湾曲形状を有するようにしてもよい。例えば、加飾シート２０のみが湾曲するようにしてもよいし、加飾シート２０及び表示装置１０の少なくとも表示面１１が湾曲するようにしてもよい。
【００２９】
この加飾シート付き表示装置１は、図１に示された非表示状態と、図３に示された表示状態と、をとることができる。図１に示された非表示状態では、加飾シート２０の絵柄部２４に形成された意匠を表示することができる。図３に示された表示状態では、表示装置１０によって形成される画像を表示することができる。そして、本実施の形態に係る加飾シート付き表示装置１及び加飾シート２０では、網点パターンを用いて表現される優れた意匠を表示することを可能にするための工夫がなされている。
【００３０】
まず、加飾シート付き表示装置１の構成について、図示された具体例を参照して説明する。
【００３１】
表示装置１０として画像を表示するための種々の装置を用いることができる。表示装置１０は、典型的には、表示面１１から画像光を射出することで画像を表示する装置とすることができる。
【００３２】
図２に示された一例において、表示装置１０は、面光源装置１２及び遮光シート１４を有している。面光源装置１２は、面状に光を発光する装置である。面光源装置１２は、光を発光する発光面１３を有している。面光源装置１２として、特に限定されることなく、種々の型式、例えばエッジライト型や直下型の装置を用いることができる。
【００３３】
遮光シート１４は、面光源装置１２の発光面１３上に配置されている。遮光シート１４は、表示装置１０の表示面１１を形成する。遮光シート１４の平面図である図４に示すように、遮光シート１４は、表示したい画像のパターンと同一パターンの開口領域１４ａと、開口領域１４ａに隣接する遮光領域１４ｂと、に平面分割されている。遮光領域１４ｂは、可視光吸収性を有し、面光源装置１２で発光された光を遮蔽する。遮光領域１４ｂは、黒色顔料等を含んだ樹脂材料を用いて作製され得る。より具体的には、後述する絵柄部２４の遮光層３２と同様の材料を用いて作製され得る。開口領域１４ａは、面光源装置１２で発光された光を透過させる透明または開口した領域である。すなわち、遮光シート１４は、所望のパターンで光を透過させる遮光マスクとして機能する。図４に示された遮光シート１４の一例において、開口領域１４ａはアルファベットの「Ｄ」の形状を有している。
【００３４】
なお、本明細書で用いる「透明」とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、５０％以上であることを意味し、好ましくは８０％以上である。
【００３５】
以上の構成からなる図示された表示装置１０は、面光源装置１２が光を発光した場合に、静止画としてアルファベットの「Ｄ」を表示することができる。また、遮光シート１４を変更することによって、すなわち別の遮光シート１４を用いることによって、発光面１３の外輪郭の内部に種々の画像を表示することができる。この点から、図示された表示装置１０の表示面１１は、発光面１３に対面する領域と言える。
【００３６】
ただし、表示装置１０は、図２に示された例に限られない。例えば、面光源装置１２の発光面１３が、表示した画像のパターンと同一パターンを有するようにして、遮光シート１４を省略するようにしてもよい。また、遮光シート１４が、面光源装置１２から離間して、加飾シート２０と積層されていてもよい。この例において、遮光シート１４は、粘着層や接着層等の接合層を介して加飾シート２０に接合されて加飾シート２０と一体化されていてもよい。さらに、表示装置１０として、例えば動画を表示する装置を用いるようにしてもよい。具体的には、後に言及するようにドットマトリックス方式の表示装置を用いることができる。ドットマトリックス方式の表示装置では、ドットを形成する画素の発光状態を個別に制御することで所望の画像を形成することができる。
【００３７】
次に、加飾シート２０について説明する。加飾シート２０は、表示装置１０の表示面１１に対面して配置され、表示面１１が外部から直接観察されないよう、少なくとも表示面１１の全体を覆っている。加飾シート２０は、表示装置１０の表示面１１の全体を覆うことができるよう、表示面１１の寸法以上の寸法を有している。図示された加飾シート２０は、表示面１１と、表示面１１の周囲に位置する周囲領域１１ａと、を含む表示装置１０の前面の全領域を覆う寸法を有している。すなわち、加飾シート２０は、表示装置１０の全体を隠蔽している。図１に示す例において、加飾シート２０は、全体として表示装置１０の表示面１１と同一の方向に広がる平板状の部材となっている。加飾シート２０の厚さは、例えば２０μｍ以上５５０μｍ以下とすることができる。
【００３８】
図示された例において、加飾シート２０は平面視において矩形形状を有している。加飾シート２０は、長辺として互いに平行に延びる第１端辺２０ａ及び第２端辺２０ｂと、短辺として互いに平行に延びる第３端辺２０ｃ及び第４端辺２０ｄと、を含んでいる。図１に示すように、第１端辺２０ａ及び第２端辺２０ｂは、第１基準方向ＤＳ１に直線状に延び、第３端辺２０ｃ及び第４端辺２０ｄは、第１基準方向ＤＳ１に垂直な第２基準方向ＤＳ２に直線状に延びている。
【００３９】
なお、図面間での方向関係を明確化するため、いくつかの図面には、第１基準方向ＤＳ１及び第２基準方向ＤＳ２、さらに第１基準方向ＤＳ１及び第２基準方向ＤＳ２の両方に直交する法線方向ＮＤ等を、図面間で共通する方向として示している。また、図４には、遮光シート１４が加飾シート付き表示装置１に組み込まれた状態における加飾シート２０に対する相対位置を明確にするため、加飾シート付き表示装置１において遮光シート１４と積層された加飾シート２０に関する各方向を示している。
【００４０】
加飾シート２０は、意匠を表示して、加飾シート付き表示装置１に意匠性を付与する。本実施の形態において、加飾シート２０は、図２及び図５に示すように絵柄が形成された絵柄部２４と、絵柄部２４の開口部として設けられた透過部２６と、を有している。透過部２６は、表示装置１０からの画像光を透過させる。絵柄部２４は、複数の網点を用いて意匠を表示する意匠層３１を含んでいる。図示された例において、絵柄部２４は、意匠層３１に加えて、遮光層３２を更に含んでいる。また、図示された加飾シート２０は、絵柄部２４及び透過部２６と法線方向ＮＤに対面する位置に、基材部２２を有している。以下、加飾シート２０の各構成要素について説明する。
【００４１】
まず、絵柄部２４を支持する基材部２２について説明する。基材部２２は、透明なフィルム状の部材である。図２に示された例において、基材部２２は、加飾シート付き表示装置１の最も表示装置１０に近接する側に位置している。基材部２２として、樹脂製のフィルムを用いることができる。基材部２２は、可視光を透過し、絵柄部２４を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、ＡＢＳ（アクリロニトリル  ブタジエン  スチレン共重合体）等を挙げることができる。基材部２２は、可視光透過性や、絵柄部２４及び透過部２６の適切な支持性等を考慮すると、１０μｍ以上５００μｍ以下の厚さを有していることが好ましい。
【００４２】
次に、絵柄部２４及び透過部２６について順に説明する。図２に示すように、絵柄部２４は、加飾シート２０の法線方向ＮＤに基材部２２上に順に積層された遮光層３２及び意匠層３１を有している。このうち、遮光層３２が、加飾シート２０の法線方向ＮＤに沿って表示装置１０に近接し、意匠層３１が、法線方向ＮＤに沿って表示装置１０から離間する。図示された例において、意匠層３１は、絵柄部２４における最も観察者側の層を形成している。
【００４３】
意匠層３１は、加飾シート２０が表示する意匠を形成する。意匠層３１は、図形、パターン、デザイン、色彩、絵、写真、キャラクター、マーク、ピクトグラム、文字や数字などの絵柄を、意匠として形成することができる。意匠層３１は、背景を表示する意匠表現を行うこともできる。例えば、加飾シート付き表示装置１が設けられる周辺環境と調和させることができる意匠として、木目調や大理石調の絵柄や幾何学模様を、意匠層３１が表示するようにしてもよい。
【００４４】
本実施の形態において、意匠層３１は、多数の網点４１，４２，４３を含んでおり、網点４１，４２，４３によって意匠を表示する。この意匠層３１は、同一色の網点４１，４２，４３を規則的に配置するとともに、各網点４１，４２，４３の大きさを変化させることで、意匠（画像）を表示することができる。網点４１，４２，４３を用いることで、網点４１，４２，４３の遮光層３２上での密度分布（各網点の大きさの分布）を調整することで、濃度や明るさを調節することができる。また、図示された例のように、異なる色の網点４１，４２，４３を有する場合には、異なる色で密度分布（配列や各網点の大きさの分布）を調整することで、色味を調節することができる。図示された例において、意匠層３１を形成する網点４１，４２，４３は、遮光層３２上に設けられている。
【００４５】
一例として、図６に示された意匠層３１は、シアンのドットパターンを形成する第１網点４１と、マゼンタのドットパターンを形成する第２網点４２と、イエローのドットパターンを形成する第３網点４３と、を含んでいる。この意匠層３１によれば、フルカラーで意匠を表示することも可能となる。
【００４６】
ここで、図７Ａは、意匠層３１を示す拡大平面図であって、遮光層３２上における第１網点４１の配列パターンを示している。図７Ａでは、遮光層３２上における第２網点４２及び第３網点４３の図示を省略している。同様に、図７Ｂは、意匠層３１を示す拡大平面図であって、遮光層３２上における第２網点４２の配列パターンを示している。図７Ｂでは、遮光層３２上における第１網点４１及び第３網点４３の図示を省略している。さらに、図７Ｃは、意匠層３１を示す拡大平面図であって、遮光層３２上における第３網点４３の配列パターンを示している。図７Ｃでは、遮光層３２上における第１網点４１及び第２網点４２の図示を省略している。
【００４７】
図７Ａに示すように、第１網点４１は、第１網点配列方向ＡＤ１及び第２網点配列方向ＡＤ２に配列されている。すなわち、第１網点４１は、遮光層３２上に二次元配列されている。第１網点４１は、第１網点配列方向ＡＤ１に一定の第１網点配列ピッチＰ１で配列されている。また、第１網点４１は、第２網点配列方向ＡＤ２に一定の第２網点配列ピッチＰ２で配列されている。複数の第１網点４１の各々は、所望の意匠表現を行うため遮光層３２上での位置に応じて大きさ（面積）を変化させている。
【００４８】
なお、図示された例において、第１網点配列方向ＡＤ１は第２網点配列方向ＡＤ２に対して垂直となっている。そして、第１網点配列方向ＡＤ１は第１基準方向ＤＳ１と平行になっている。したがって、第１網点４１は、第１端辺２０ａ及び第２端辺２０ｂと平行な方向に配列されている。また、第２網点配列方向ＡＤ２は第２基準方向ＤＳ２と平行になっている。したがって、第１網点４１は、第３端辺２０ｃ及び第４端辺２０ｄと平行な方向に配列されている。
【００４９】
同様に、図７Ｂに示すように、第２網点４２は、第３網点配列方向ＡＤ３及び第４網点配列方向ＡＤ４に配列されている。すなわち、第２網点４２は、遮光層３２上に二次元配列されている。第２網点４２は、第３網点配列方向ＡＤ３に一定の第３網点配列ピッチＰ３で配列されている。また、第２網点４２は、第４網点配列方向ＡＤ４に一定の第４網点配列ピッチＰ４で配列されている。複数の第２網点４２の各々は、所望の意匠表現を行うため遮光層３２上での位置に応じて大きさ（面積）を変化させている。図示された例において、第３網点配列方向ＡＤ３は第４網点配列方向ＡＤ４に対して垂直となっている。
【００５０】
さらに、図７Ｃに示すように、第３網点４３は、第５網点配列方向ＡＤ５及び第６網点配列方向ＡＤ６に配列されている。すなわち、第３網点４３は、遮光層３２上に二次元配列されている。第３網点４３は、第５網点配列方向ＡＤ５に一定の第５網点配列ピッチＰ５で配列されている。また、第３網点４３は、第６網点配列方向ＡＤ６に一定の第６網点配列ピッチＰ６で配列されている。複数の第３網点４３の各々は、所望の意匠表現を行うため遮光層３２上での位置に応じて大きさ（面積）を変化させている。図示された例において、第５網点配列方向ＡＤ５は第６網点配列方向ＡＤ６に対して垂直となっている。
【００５１】
第１網点配列方向ＡＤ１、第３網点配列方向ＡＤ３及び第５網点配列方向ＡＤ５は、互いに傾斜している。すなわち、第１網点配列方向ＡＤ１、第３網点配列方向ＡＤ３及び第５網点配列方向ＡＤ５は、０°より大きく９０°より小さい角度を互いに対してなしている。同様に、第２網点配列方向ＡＤ２、第４網点配列方向ＡＤ４及び第６網点配列方向ＡＤ６は、互いに傾斜している。すなわち、第２網点配列方向ＡＤ２、第４網点配列方向ＡＤ４及び第６網点配列方向ＡＤ６は、０°より大きく９０°より小さい角度を互いに対してなしている。このように第１網点４１、第２網点４２及び第３網点４３の配列方向を傾斜させることで、第１網点４１の配列の規則性、第２網点４２の配列の規則性および第３網点配列方向ＡＤ３の配列の規則性に起因して生じるモアレを効果的に目立たなくさせることができる。図示された例において、第３網点配列方向ＡＤ３は、第１網点配列方向ＡＤ１に対して図面において時計回り方向に３０°傾斜している。第５網点配列方向ＡＤ５は、第３網点配列方向ＡＤ３に対して図面において時計回り方向に３０°傾斜している。
【００５２】
網点４１，４２，４３は、種々の印刷方法によって、例えばグラビア印刷によって、遮光層３２上に形成することができる。図６に示された例において、第１網点４１、第２網点４２及び第３網点４３は、この順番で遮光層３２上に印刷されている。
【００５３】
なお、図示された意匠層３１における網点４１，４２，４３に関する構成は例示に過ぎず、種々の変更が可能である。例えば、意匠層３１は、単色の網点のみを有するようにしてもよいし、二色の網点を有するようにしてもよいし、四色以上の網点を有するようにしてもよい。また、第１網点４１、第２網点４２及び第３網点４３の遮光層３２上における積層順も、図示された例に限定されず、種々の変更が可能である。
【００５４】
さらに、図示された例において、意匠層３１を形成する網点４１，４２，４３は、遮光層３２上に設けられている。しかしながら、この例に限られず、意匠層３１が、遮光層３２上に設けられた下地層を更に含み、この下地層上に網点４１，４２，４３が設けられるようにしてもよい。下地層は、種々の色の層として構成され得る。すなわち、下地層を設けることで、網点４１，４２，４３が配置される面の色を遮光層３２に制約されることなく選択することができる。この点において、遮光層３２の存在が意匠層３１での意匠表現に影響を及ぼすことを防止する観点から、下地層は白色であることが好ましい。白色の意匠層３１によれば、反射率（とりわけ散乱反射率）も高くなり、意匠を明瞭に表示することもできる。
【００５５】
次に、遮光層３２について説明する。遮光層３２は、表示装置１０に対面する側から意匠層３１を覆うように設けられている。遮光層３２は、表示装置１０からの可視光が意匠層３１に入射しないよう、可視光遮光性を有している。したがって、遮光層３２の可視光透過率は、意匠層３１の可視光透過率よりも低くなっていることが好ましい。遮光層３２は、例えば光吸収粒子をバインダー樹脂中に含み得る。光吸収粒子としては、カーボンブラックやチタンブラック等の黒色顔料を例示することができる。十分な厚さの遮光層３２が意匠層３１を覆っていると、意匠層３１によって形成される意匠を濃く明瞭に表示することができる。具体的な例として、遮光層３２の厚さを、１μｍ以上２０μｍ以下とすることができる。
【００５６】
次に、透過部２６について説明する。透過部２６は、加飾シート２０のうちの表示装置１０からの画像光が透過する部位となる。したがって、透過部２６は、高い可視光透過性を有する部位となっている。透過部２６は、絵柄部２４に設けられた開口部として構成されている。言い換えると、透過部２６は、絵柄部２４の非形成部として構成されている。図２に示された例において、透過部２６は、表示装置１０側へ向けて開口している。
【００５７】
しかしながら、この例に限られず、図８に示すように、隣り合う絵柄部２４の間に透明樹脂が充填され、この透明樹脂によって透過部２６が形成されるようにしてもよい。図８に示された例において、加飾シート２０は、法線方向ＮＤに沿って最も表示装置１０から離間する側の層として、カバー層３３を更に有している。カバー層３３が、透過部２６を形成している。カバー層３３は、隣り合う絵柄部２４の間だけでなく、法線方向ＮＤから絵柄部２４を覆うように設けられている。カバー層３３は、加飾シート２０の観察者側の表面層を形成している。このカバー層３３は、絵柄部２４を保護し、かつ、透過部２６に埃等の異物が混入することを効果的に防止することができる。
【００５８】
カバー層３３は、基材部２２との屈折率が小さい材料によって形成されることが好ましい。カバー層３３と基材部２２との屈折率差を小さくすることで、カバー層３３と基材部２２との界面での屈折を効果的に抑制することができる。これにより、表示装置１０によって表示される画像の歪みを効果的に防止することができる。例えば、加飾シート２０の基材部２２として１．５３から１．５７の屈折率を有するアクリル樹脂が使用される場合、カバー層３３の好ましい材料として、１．３３から１．７７の屈折率を有するポリメタクリル酸メチル樹脂、フッ素樹脂、シリコーン樹脂、ポリプロピレン、ウレタン樹脂、ポリエチレン、ナイロン、ポリ塩化ビニル、エポキシ、ポリカーボネート、ポリスチレンなどを用いることができる。
【００５９】
図５に示すように、平面視における加飾シート２０は、絵柄部２４及び透過部２６に区分けされている。
【００６０】
ここで、図５は、加飾シート２０を示す部分平面図である。図５に示すように、複数の透過部２６は配列方向ＡＤＴに配列されている。各透過部２６は、配列方向ＡＤＴと非平行な方向に線状に延びている。図示された例において、各透過部２６は、配列方向ＡＤＴと垂直な長手方向ＬＤＴに直線状に延びている。また、各透過部２６は、長手方向ＬＤＴに沿って概ね一定の幅を有している。また、図示された例において、透過部２６の両端部は、基材部２２上を基材部２２の縁部まで延びている。
【００６１】
図５に示された例において、平面視における加飾シート２０は、絵柄部２４及び透過部２６に区分けされている。そして、絵柄部２４及び透過部２６は、配列方向ＡＤＴに交互に隙間無く配列されている。したがって、複数の絵柄部２４は、透過部２６と同様に、配列方向ＡＤＴに配列されている。各絵柄部２４は、配列方向ＡＤＴと非平行な方向に線状に延びている。図示された例において、各絵柄部２４は、配列方向ＡＤＴと垂直な長手方向ＬＤＴに直線状に延びている。また、各絵柄部２４は、長手方向ＬＤＴに沿って概ね一定の幅を有している。
【００６２】
平面視における加飾シート２０の面積に対する透過部２６の面積の割合（以下、「開口率」という。）は、観察者が表示装置１０からの画像光を実用に耐える程度に観察することを可能とするために、１％以上とするのが好ましく、３％以上とするのがより好ましく、５％以上とするのが更に好ましい。一方、表示装置１０の表示面１１に画像を表示していない状態では、加飾シート２０は絵柄部２４の意匠を表示する。加飾シート２０の開口率は、加飾シート２０の意匠を観察者が実用に耐える程度に明確に観察できるようにするために、６０％以下とするのが好ましく、４０％以下とするのがより好ましく、２０％以下とするのが更に好ましい。
【００６３】
次に、以上のような構成からなる加飾シート２０の製造方法の一例について説明する。
【００６４】
まず、基材部２２をなすようになるフィルム材２２Ａ（図９参照）を用意する。このようなフィルム材２２Ａとして上述した透明な樹脂製フィルム材を用いることができる。このフィルム材２２Ａ上に、遮光層３２をなすようになるインクを塗布する。次に、フィルム材２２Ａ上のインクを乾燥して固化することで、フィルム材２２Ａからなる基材部２２上に遮光膜３２Ａが形成される。得られた遮光膜３２Ａは、遮光層３２とは異なり、ベタ膜として形成されている。その後、遮光膜３２Ａ上に網点パターンを設けることで、意匠膜３１Ａを形成する。網点パターンは、一例としてグラビア印刷により、予め設定されたパターン及び大きさ分布の網点を、遮光膜３２Ａ上に設けることによって得られる。このようにして、多数の網点４１，４２，４３を含んだ意匠膜３１Ａが、遮光膜３２Ａ上に形成される。以上の手順により、図９に示すように、フィルム材２２Ａ上に遮光膜３２Ａ及び意匠膜３１Ａをこの順番で積層してなる積層体３５が得られる。
【００６５】
次に、積層体３５における意匠膜３１Ａ及び遮光膜３２Ａをパターニングすることで、絵柄部２４及び絵柄部２４の非形成部としての透過部２６を形成する。一例として、図１０に示すように、積層体３５の透過部２６を形成すべき位置にレーザー光を照射して、照射領域における意匠膜３１Ａ及び遮光膜３２Ａを除去することで、透過部２６を形成することができる。このとき、積層体３５にフィルム材２２Ａの側からレーザー光を照射することができる。レーザー光は、フィルム材２２Ａを透過して、遮光膜３２Ａに効率的に吸収される。これにより、遮光膜３２Ａが溶融し、隣接する意匠膜３１Ａとともに、蒸発する。レーザー光の照射によって開口が形成され、開口を形成された意匠膜３１Ａから意匠層３１が得られ、開口を形成された遮光膜３２Ａから遮光層３２が得られる。このようにして、フィルム材２２Ａ上に絵柄部２４及び透過部２６を有した加飾シート２０が得られる。
【００６６】
ここで、生産効率を考慮すると、長尺の積層体３５を作製し、長尺の積層体３５に対してレーザー光を照射して透過部２６を形成することが好ましい。すなわち、いわゆるロール・トゥ・ロールで、図１１に示すように、絵柄部２４及び透過部２６を有した長尺のシート状部材１８を作製することが、生産効率に照らして好ましい。図１１に示されたシート状部材１８は、長尺方向ＬＬＤに細長く延びるシート状の部材である。シート状部材１８は、長尺方向ＬＬＤに非平行な巻取軸線ＲＡを中心として、とりわけ長尺方向ＬＬＤに垂直な巻取軸線ＲＡを中心として、巻き取りコア１９に巻き取られ、巻取体１７として取り扱われ得る。巻取体１７からシート状部材１８を巻きほどき、巻きほどかれたシート状部材１８を断裁することで、加飾シート２０が得られる。このとき、シート状部材１８の歩留まりを考慮すると、シート状部材１８を長尺方向ＬＬＤに直交する方向に沿った断裁線ＣＬに沿って断裁することが好ましい。なお、図１１に示された例では、シート状部材１８の長手方向縁１８ａは、加飾シート２０の長辺である第１端辺２０ａ及び第２端辺２０ｂとなる。
【００６７】
図１１に示された例において、シート状部材１８における絵柄部２４及び透過部２６は、長尺方向ＬＬＤと非平行な方向、とりわけ長尺方向ＬＬＤに対して時計回りに４５°傾斜した方向に線状に延びている。このシート状部材１８を長尺方向ＬＬＤに垂直な方向に断裁することで得られた加飾シート２０において、絵柄部２４及び透過部２６は、シート状部材１８の長手方向縁１８ａに相当する加飾シート２０の端辺２０ａ，２０ｂに対して傾斜、とりわけ、時計回りに４５°傾斜する。同様に、得られた加飾シート２０において、絵柄部２４及び透過部２６は、断裁線ＣＬに沿った加飾シート２０の端辺２０ｃ，２０ｄに対して傾斜、とりわけ、反時計回りに４５°傾斜する。
【００６８】
なお、本実施の形態の加飾シート２０では、透過部２６が線状に延びている。このような透過部２６は、積層体３５及びレーザー照射装置１００を相対移動させながら、レーザー照射装置１００からレーザー光を連続的または高速パルス状に断続的に射出することで、作製され得る。
【００６９】
また、図８に示された加飾シート２０の製造では、作製された絵柄部２４及び透過部２６上に、カバー層３３をなすようになるインクを塗布する。次に、基材部２２及び絵柄部２４上のインクを乾燥して固化することで、基材部２２及び絵柄部２４上にカバー層３３を作製することができ、カバー層３３が透過部２６を形成するようになる。
【００７０】
次に、本実施の形態の加飾シート付き表示装置１の作用について説明する。
【００７１】
表示装置１０が非表示状態にあり表示面１１から画像光が発光されていない状態では、図１に示されているように、表示装置１０の表示面１１に重ねた配置された加飾シート２０が視認される。そして、加飾シート２０において遮光層３２よりも観察者側に位置する意匠層３１が、図２に示された例では直接、図８に示された例では透明なカバー層３３越しに、観察される。意匠層３１は、網点４１，４２，４３を用いた豊かな表現力により、優れた意匠を明瞭に表示することができる。すなわち、画像の非表示状態において、通常、黒く観察される表示装置を隠蔽することができることから、周囲環境との意匠の調和や統一性を確保しながら表示装置１０を設置することができる。また昨今では表示装置１０の適用範囲が急速に広がっており、加飾シート２０を用いることによって、意匠性が重要視される自動車や家具、住宅建材の表面部材等へ、表示装置１０を適用することも可能となる。
【００７２】
表示面１１が表示状態にある場合、表示面１１から画像光が射出する。表示面１１から射出した画像光は、加飾シート２０の基材部２２を透過し、絵柄部２４又は透過部２６に向かう。透過部２６に入射する画像光は、透過部２６を透過して加飾シート２０から観察者側へ出射する。透過部２６を通過した画像光は、図３に示すように、表示面１１上に観察される画像を形成する。
【００７３】
一方、絵柄部２４へ向かった画像光は、絵柄部２４の最も表示装置１０の側に位置する遮光層３２で吸収される。すなわち、表示装置１０からの画像光は、絵柄部２４を透過することはない。したがって、画像光が意匠層３１を背面側から照明することもない。これにより、表示装置１０によって表示される画像が、加飾シート２０の絵柄部２４に形成された意匠と混色してしまうことを効果的に防止することができる。また、表示装置１０によって画像を表示している際に、絵柄部２４の意匠が目立ってしまうことも効果的に防止することができる。これにより、表示装置１０が表示状態にある場合、表示装置１０によって表示される画像を明瞭に観察することができる。
【００７４】
ところで、加飾シート２０の意匠層３１に形成する種々の意匠を試したところ、絵柄部に表示される意匠に依存して、加飾シート２０上に縞模様が観察されることがあった。このような外観上の不具合は、加飾シート２０の用途に照らして致命的な不具合になりかねない。この点について本件発明者等が鋭意検討を重ねたところ、縞模様の発生原因が、透過部２６の配置の規則性と意匠を形成する絵柄部２４の意匠層３１における網点４１，４２，４３の配置の規則性との干渉に起因したモアレであることが推測された。この推定に基づいて更に鋭意検討を重ねたところ、透過部２６が以下に説明する構成を有することで、縞模様を効果的に目立たなくさせ得ることを確認した。
【００７５】
すなわち、本実施の形態において、加飾シート２０は以下の構成を有しており、この構成に起因して、縞模様を目立たなくさせることができる。したがって、本実施の形態による加飾シート２０は、表示装置１０による画像の表示を可能としながら、非表示状態にある表示装置１０を隠蔽して予め期待された優れた意匠を表示することができる。このように表示装置１０の設置にあたって周囲環境との調和や統一性を確保し得る本実施の形態は、とりわけ意匠性が重要視される物品、例えば自動車や家具、住宅建材等の表面部材に好適である。
【００７６】
まず、本実施の形態において、透過部２６は、複数の網点４１，４２，４３に含まれる同一色の網点の配列方向に対して傾斜した方向に延びている。このとき、複数の透過部２６の配列方向ＡＤＴは、通常、複数の網点４１，４２，４３に含まれる同一色の網点の配列方向に対して傾斜した方向に延びやすくなる。とりわけ直線状に延びる透過部２６の配列方向ＡＤＴは透過部２６の長手方向ＬＤＴと垂直となり、複数の網点４１，４２，４３に含まれる同一色の網点の配列方向に対して傾斜する。一般的にモアレを目立たなくさせるには、干渉を生じさせる二つの要素が規則性を呈する方向を互いに対して傾斜させることが有効とされている。本実施の形態による加飾シート２０によれば、網点の配列の規則性と透過部２６の配列の規則性との重ね合わせに起因したモアレによって生じる縞模様を効果的に目立たなくさせることができる。
【００７７】
図示された例において、透過部２６の長手方向ＬＤＴは、いずれの色の網点４１，４２，４３の配列方向ＡＤ１〜ＡＤ６に対しても傾斜している。したがって、図示された例によれば、縞模様をより効果的に目立たなくさせることができる。
【００７８】
また図示された例において、透過部２６は、複数の網点４１，４２，４３に含まれる同一色の網点の配列方向に対して１０°以上８０°以下の角度をなす方向に線状に延びている。このような加飾シート２０によれば、縞模様をより効果的に目立たなくさせることができる。とりわけ図示された例において、透過部２６は、複数の網点４１，４２，４３に含まれるいずれの色の網点の配列方向に対しても１０°以上８０°以下の角度をなす方向に線状に延びている。したがって、図示された例によれば、縞模様をより効果的に目立たなくさせることができる。
【００７９】
ところで、加飾シート２０の絵柄部２４において、表示対象となる意匠のいずれかの色成分を表示する網点は、通常、加飾シート２０の端辺２０ａ〜２０ｄと平行な方向に配列される。枚葉状の加飾シート２０を作製する際、加飾シート２０の端辺２０ａ〜２０ｄは、加飾シート２０の外形状上における網点の配列パターンの基準とし易いからである。また、加飾シート２０が長尺のシート状部材１８として製造される場合には、表示対象となる意匠のいずれかの色成分を表示する網点は、通常、シート状部材１８の長尺方向ＬＬＤに配列される。シート状部材１８の長尺方向ＬＬＤは、シート状部材１８の外形状上における網点の配列パターンの基準とし易いからである。そして上述したように歩留まりを考慮すると、加飾シート２０は、シート状部材１８を長尺方向ＬＬＤに垂直な断裁線ＣＬに沿って断裁することによって、作製される。このようにしてシート状部材１８から得られた加飾シート２０においても、いずれかの色成分を表示する網点は、加飾シート２０の端辺２０ａ〜２０ｄと平行な方向に配列される。
【００８０】
この点に関連して、本実施の形態による加飾シート２０において、透過部２６は、加飾シート２０の端辺２０ａ〜２０ｄに対して傾斜した方向に線状に延びている。この結果、複数の透過部２６の配列方向ＡＤＴも、加飾シート２０の端辺２０ａ〜２０ｄに対して傾斜した方向に線状に延びるようになる傾向が生じる。そして直前で説明したように、網点の位置決めのし易さから、表示対象となる意匠のいずれかの色成分を表示する網点は、通常、加飾シート２０の端辺２０ａ〜２０ｄと平行な方向に配列される。図示された例では、第１網点４１が加飾シート２０の端辺２０ａ〜２０ｄと平行な方向ＡＤ１，ＡＤ２に配列されている。したがって、加飾シート２０の端辺に対して傾斜した方向に線状に延びる透過部２６の配列方向ＡＤＴは、いずれかの色成分を表示する網点の配列方向に対して傾斜するようになる。結果として、透過部２６の長手方向ＬＤＴを加飾シート２０の端辺に対して傾斜させることで、網点の配列の規則性と透過部２６の配列の規則性との重ね合わせに起因したモアレによって生じる縞模様を効果的に目立たなくさせることができる。
【００８１】
とりわけ図示された例において、透過部は、加飾シート２０の四つの端辺２０ａ〜２０ｄに対して１０°以上８０°以下の角度をなす方向に線状に延びている。この具体例によれば、複数の透過部２６の配列方向ＡＤＴも、透過部２６によって表示される意匠のいずれかの色成分を表示する網点４１の配列方向に対して１０°以上８０°以下の角度をなしやすくなる。したがって、網点４１の配列の規則性と透過部２６の配列の規則性との重ね合わせに起因したモアレによって生じる縞模様を効果的に目立たなくさせることができる。
【００８２】
また図１２に示すように、複数の透過部２６の配列ピッチＰＴは、複数の網点４１，４２，４３に含まれる同一色の網点の配列ピッチと同程度であることが好ましい。具体的には、複数の透過部２６の配列ピッチＰＴと、複数の網点４１，４２，４３に含まれる同一色の網点の配列ピッチとの差が、−５μｍ以下または５μｍ以上であることが好ましい。さらに言い換えると、複数の透過部２６の配列ピッチＰＴと、複数の網点４１，４２，４３に含まれる同一色の網点の配列ピッチとの差の大きさが、５μｍ以上であることが好ましい。ここで、図１２は、加飾シート２０を示す拡大部分平面図である。ただし図１２において、第１網点４１及び第３網点４３の図示を省略し、第２網点４２と絵柄部２４及び透過部２６との位置関係が示されている。
【００８３】
透過部２６の配列ピッチＰＴは、複数の透過部２６の配列方向に隣り合う任意の二つの透過部２６の当該配列方向に沿った距離の平均値のことである。そして、複数の透過部２６の配列方向は、当該方向に隣り合う任意の二つの透過部２６の当該方向に沿った距離の平均値が最小となる方向のことである。そして、透過部２６の配列ピッチＰＴを特定する上で用いられる「二つの透過部２６の当該配列方向に沿った距離」は、後述するように、対象となる二つの透過部２６についての配列方向における中心位置の配列方向に沿った距離として特定される。
【００８４】
同一色の網点の配列ピッチは、当該同一色の複数の網点の配列方向に隣り合う任意の二つの同一色の網点の当該配列方向に沿った距離の平均値のことである。「二つの同一色の網点の当該配列方向に沿った距離」は、対象となる二つの同一色の網点についての重心位置の配列方向に沿った距離として特定される。
【００８５】
ただし、網点については、意匠層によって表示するべき意匠の濃淡や色等に応じて、大きさが異なるだけでなく、規則的な配列により配置されるべき位置に配置されないこともある。このような網点の省略は、同一色の網点の全体的な配列から、把握することができる。そして、対象となる網点の配列方向において省略された網点の両側に位置する二つの網点の距離は、特定すべき網点の配列ピッチの概ね整数倍となる。網点のピッチを特定する際には、省略された網点の両側に位置する二つの網点間の距離は、省略された網点の個数に１を足すことで得られた数で実際に測定された距離を除した値として用いる。
【００８６】
さらに、複数の網点が用いられている場合、対象とする色の網点が、他の色の網点によって、完全に覆われる場合や、部分的に覆われることが想定される。完全に覆われて対象となる網点が観察され得なくなっている場合は、上述した網点が省略された場合と同様の取り扱いにより、当該色の網点の配列ピッチを特定する。一方、対象とする網点が他の色の網点によって部分的に覆われている場合には、部分的に覆われた網点が、全体として円形状を有するものとして全体形状を特定し、更に配列ピッチを特定する上で必要となる当該網点の重心位置を全体形状に基づいて特定する。
【００８７】
なお、各網点の重心位置の特定や、部分的に他の色の網点で覆われた網点の全体形状の特定は、画像処理により実現され得る。
【００８８】
図１２に示された例において、複数の透過部２６の配列ピッチＰＴは、複数の網点４１，４２，４３に含まれる同一色の網点４２の第３網点配列ピッチＰ３及び第４網点配列ピッチＰ４よりも５μｍ以上小さく又は５μｍ以上大きくなっている。言い換えると、複数の透過部２６の配列ピッチＰＴと同一色の網点４２の第３網点配列ピッチＰ３との差の大きさは５μｍ以上となっており、複数の透過部２６の配列ピッチＰＴと同一色の網点４２の第４網点配列ピッチＰ４との差の大きさが５μｍ以上となっている。この具体例によれば、各第２網点４２が絵柄部２４に残りやすくなる。言い換えると、透過部２６と完全に重なってしまう第２網点４２の発生を効果的に抑制することができる。したがって、絵柄部２４の意匠層３１によって、予め期待した濃淡や配色にて意匠を表示することが可能となる。また、透過部２６の配列ピッチＰＴと同一色の網点４２の網点配列ピッチとの差の大きさを５μｍ以上とすることで、透過部２６の配列と網点の配列との重ね合わせに起因したモアレによって生じる縞模様を効果的に目立たなくさせることができる。
【００８９】
なお、図示された例では、図１２での図示は省略されているものの、複数の透過部２６の配列ピッチＰＴは、いずれの網点のいずれの方向に沿った配列ピッチに対しても５μｍ以上異なる大きさを有している。具体的には図示された例において、複数の透過部２６の配列ピッチＰＴと、第１網点４１の第１網点配列方向ＡＤ１に沿った第１網点配列ピッチＰ１との差の大きさが５μｍ以上となっている。同様に、図示された例において、複数の透過部２６の配列ピッチＰＴと、第１網点４１の第２網点配列方向ＡＤ２に沿った第２網点配列ピッチＰ２との差の大きさが５μｍ以上となっている。また、図示された例において、複数の透過部２６の配列ピッチＰＴと、第３網点４３の第５網点配列方向ＡＤ５に沿った第５網点配列ピッチＰ５との差の大きさが５μｍ以上となっている。同様に、図示された例において、複数の透過部２６の配列ピッチＰＴと、第３網点４３の第６網点配列方向ＡＤ６に沿った第６網点配列ピッチＰ６との差の大きさが５μｍ以上となっている。
【００９０】
透過部２６の配列ピッチＰＴと同一色の網点４２の網点配列ピッチとの差の大きさは、上述したように５μｍ以上であることが好ましいが、２０μｍ以上であることがより好ましく、５０μｍ以上であることが更に好ましい。この場合、上述した作用効果、すなわち、意匠層３１が意匠性をより効果的に発揮することができ、透過部２６と網点４２との規則性に起因したモアレを効果的により目立たなくさせることができる。
【００９１】
ところで図１３に示すように、各透過部２６は、互いに対向して当該透過部２６の長手方向ＬＤＴに延びる第１長手方向縁２７及び第２長手方向縁２８を有している。図１３に示すように、第１長手方向縁２７及び第２長手方向縁２８の各々は、非直線部分を含むこと、言い換えると直線でない部分を含むことが好ましい。第１長手方向縁２７及び第２長手方向縁２８は、当該透過部２６の長手方向ＬＤＴに沿った同一の領域に、共に直線部分を含まないことが好ましい。第１長手方向縁２７及び第２長手方向縁２８の各々は、その全長に亘って非直線であること、言い換えるとその全長に亘って直線でないことが好ましい。第１長手方向縁２７及び第２長手方向縁２８は、互いに異なることが好ましい。第１長手方向縁２７及び第２長手方向縁２８は、当該透過部２６の長手方向ＬＤＴに沿った任意の領域において、互いに異なることが好ましい。第１長手方向縁２７及び第２長手方向縁２８は、対称でないことが好ましい。例えば、第１長手方向縁２７及び第２長手方向縁２８は、線対称でないことが好ましく、または回転対称でないことが好ましい。透過部２６の長手方向ＬＤＴに直交する方向に沿った第１長手方向縁２７及び第２長手方向縁２８の離間距離で表される透過部２６の幅が一定ではないことが好ましい。透過部２６の幅は、段階的または断続的に変化するのではなく連続的に変化することが好ましく、当該透過部２６の全長にわたって連続的に変化することが好ましい。
【００９２】
線状に延びる透過部２６は、透過部を二次元配列させる場合と比較して、より大きな開口面積を持つようになる。第１長手方向縁２７及び第２長手方向縁２８のこれらの構成によれば、透過部２６の存在を視認されにくくすることができる。また、透過部２６の配列の規則性を弱くすることができるので、透過部２６の配列と網点の配列との重ね合わせに起因したモアレによって生じる縞模様を効果的に目立たなくさせることができる。これにより、絵柄部２４によって優れた意匠を表示することができる。
【００９３】
さらに図示された例において、第１長手方向縁２７は、蛇行しながら、言い換えると透過部２６の長手方向ＬＤＴと直交する配列方向ＡＤＴにおける両側に曲がりながら、透過部２６の長手方向ＬＤＴに延びている。このような例によれば、透過部２６の第１長手方向縁２７をより不明瞭にして、透過部２６の存在をさらに視認されにくくすることができる。また、透過部２６の配列の規則性を弱くすることができるので、透過部２６の配列と網点の配列との重ね合わせに起因したモアレによって生じる縞模様を効果的に目立たなくさせることができる。これにより、絵柄部２４によって優れた意匠を表示することができる。
【００９４】
同様に図示された例において、第２長手方向縁２８は、蛇行しながら、言い換えると透過部２６の長手方向ＬＤＴと直交する配列方向ＡＤＴにおける両側に曲がりながら、透過部２６の長手方向ＬＤＴに延びている。この例によれば、透過部２６の第２長手方向縁２８をより不明瞭にして、透過部２６の存在をさらに視認されにくくすることができる。また、透過部２６の配列の規則性を弱くすることができるので、透過部２６の配列と網点の配列との重ね合わせに起因したモアレによって生じる縞模様を効果的に目立たなくさせることができる。これにより、絵柄部２４によって優れた意匠を表示することができる。
【００９５】
図１１に示すように、第１長手方向縁２７は、透過部２６の長手方向ＬＤＴに垂直な配列方向ＡＤＴにおける第２長手方向縁２８から離間する側に突出した複数の外側凸部２７Ａと、配列方向ＡＤＴにおける第２長手方向縁２８に近接する側に突出した複数の内側凸部２７Ｂと、を含んでいる。図示された例においては、長手方向ＬＤＴに沿って、外側凸部２７Ａ及び内側凸部２７Ｂが交互に位置している。このような例において、第１長手方向縁２７の長手方向ＬＤＴにおいて隣り合う二つの外側凸部２７Ａの長手方向ＬＤＴに沿った離間長さＤ１Ｘは、複数の網点４１，４２，４３に含まれるいずれかの同一色の網点の配列ピッチよりも小さくなっていることが好ましく、いずれかの同一色の網点の配列ピッチの半分よりも小さくなっていることがより好ましい。またより好ましくは、離間長さＤ１Ｘが、複数の網点４１，４２，４３に含まれるいずれの色の網点の配列ピッチよりも小さくなっており、より好ましくは、いずれの色の網点の配列ピッチの半分よりも小さくなっている。
【００９６】
同様に、図１１に示された例において、第２長手方向縁２８は、長手方向ＬＤＴに垂直な配列方向ＡＤＴにおける第１長手方向縁２７から離間する側に突出した複数の外側凸部２８Ａと、配列方向ＡＤＴにおける第１長手方向縁２７に近接する側に突出した複数の内側凸部２８Ｂと、を含んでいる。図示された例においては、長手方向ＬＤＴに沿って、外側凸部２８Ａ及び内側凸部２８Ｂが交互に位置している。このような例において、第２長手方向縁２８の長手方向ＬＤＴにおいて隣り合う二つの外側凸部２８Ａの長手方向ＬＤＴに沿った離間長さＤ２Ｘは、複数の網点４１，４２，４３に含まれるいずれかの同一色の網点の配列ピッチよりも小さくなっていることが好ましく、いずれかの同一色の網点の配列ピッチの半分よりも小さくなっていることがより好ましい。またより好ましくは、離間長さＤ２Ｘが、複数の網点４１，４２，４３に含まれるいずれの色の網点の配列ピッチよりも小さくなっており、より好ましくは、いずれの色の網点の配列ピッチの半分よりも小さくなっている。
【００９７】
このような例によれば、網点４１，４２，４３の配列ピッチＰ１〜Ｐ６に対して、第１長手方向縁２７の蛇行の周期が長くなり過ぎることを防止することができ、また、第２長手方向縁２８の蛇行の周期が長くなり過ぎることを防止することができる。このような例とは異なり、第１長手方向縁２７の外側凸部２７Ａや第２長手方向縁２８の外側凸部２８Ａが長手方向ＬＤＴに沿って長く延びていると、当該領域において、網点４１，４２，４３が設けられる領域、すなわち絵柄部２４の領域が狭くなってしまう。すなわち、上述した離間長さＤ１Ｘ，Ｄ２Ｘを短く設定しておくことで、視認可能な長さに亘る目立った透過部２６の幅の増減を効果的に回避することができ、局所的な網点４１，４２，４３の密度低下を効果的に回避することもできる。これにより、透過部２６を効果的に視認されにくくすることができ、あわせて絵柄部２４によって優れた意匠を表示することもできる。
【００９８】
なお、離間長さＤ１Ｘ，Ｄ２Ｘの調節は、一例として、上述した製造方法での透過部２６を形成するためのレーザー光の照射条件、より具体的にはレーザー光をパルス照射する際の照射条件を制御することで実現され得る。
【００９９】
また、例えば図１３に示す例のように、第１長手方向縁２７及び第２長手方向縁２８が透過部２６の長手方向ＬＤＴに沿って配列方向ＡＤＴの位置を変化する場合、透過部２６の配列方向ＡＤＴに沿った幅ＷＴは、長手方向ＬＤＴに沿った各位置において変動する。このような透過部２６についての幅ＷＴは、第１長手方向縁２７及び第２長手方向縁２８の位置を次のように仮に想定し、仮想の第１長手方向縁２７Ｖ及び第２長手方向縁２８Ｖの配列方向ＡＤＴに沿った離間長さとして、特定する。
【０１００】
幅ＷＴを特定する上での仮想の第１長手方向縁２７Ｖは、図１３に示すように、当該第１長手方向縁２７に含まれる複数の外側凸部２７Ａのうちの当該第１長手方向縁２７を含む透過部２６の第２長手方向縁２８から配列方向ＡＤＴに沿って最も離間する一つの外側凸部２７ＡＸと、複数の内側凸部２７Ｂのうちの当該第１長手方向縁２７を含む透過部２６の第２長手方向縁２８に配列方向ＡＤＴに沿って最も近接する一つの内側凸部２７ＢＸと、の配列方向ＡＤＴにおける中間位置に位置するものと仮定する。幅ＷＴを特定する上での仮想の第２長手方向縁２８Ｖは、当該第２長手方向縁２８に含まれる複数の外側凸部２８Ａのうちの当該第２長手方向縁２８を含む透過部２６の第１長手方向縁２７から配列方向ＡＤＴに沿って最も離間する一つの外側凸部２８ＡＸと、複数の内側凸部２８Ｂのうちの当該第２長手方向縁２８を含む透過部２６の第１長手方向縁２７に配列方向ＡＤＴに沿って最も近接する一つの内側凸部２８ＢＸと、の配列方向ＡＤＴにおける中間位置に位置するものと仮定する。
【０１０１】
なお、上述したように、透過部２６の配列ピッチＰＴは、「二つの透過部２６の当該配列方向に沿った距離」の平均値として特定される。「二つの透過部２６の当該配列方向に沿った距離」は、対象となる二つの透過部２６についての配列方向における中心位置の配列方向に沿った距離として特定される。そして、複数の透過部２６の配列方向ＡＤＴにおける透過部２６の中心位置は、直前に説明した方法で特定された仮想の第１長手方向縁２７Ｖ及び第２長手方向縁２８Ｖの配列方向ＡＤＴにおける中心位置とする。
【０１０２】
以上に説明してきた一実施の形態において、加飾シート２０は、複数の網点４１，４２，４３を含む意匠層３１を有した絵柄部２４と、絵柄部２４の非形成部である複数の透過部２６と、を有している。このような加飾シート２０の絵柄部２４において、意匠のいずれかの色成分を表示する網点は、通常、加飾シート２０の端辺２０ａ〜２０ｄに沿って配列される。一方、本実施の形態において、透過部２６は、加飾シート２０の端辺２０ａ〜２０ｄに対して傾斜した長手方向ＬＤＴに線状に延びている。したがって、複数の透過部２６の配列方向ＡＤＴも、加飾シート２０の端辺２０ａ〜２０ｄに対し傾斜し、結果として、絵柄部２４によって表示される意匠のいずれかの色成分を表示する網点の配列方向に対して傾斜しやすくなる。一般的にモアレを目立たなくさせるには、干渉を生じさせる二つの要素が規則性を呈する方向を傾斜させることが有効とされている。したがって、本実施の形態によれば、網点の配列の規則性と透過部２６の配列の規則性との重ね合わせに起因したモアレによって生じる縞模様を効果的に目立たなくさせることができる。この結果、本実施の形態による加飾シート２０は、表示装置１０による画像の表示を可能としながら、非表示状態にある表示装置１０を隠蔽して予め期待された優れた意匠を表示することができる。このように表示装置１０の設置にあたって周囲環境との調和や統一性を確保し得る本実施の形態は、とりわけ意匠性が重要視される物品、例えば自動車や家具、住宅建材等の表面部材に好適である。
【０１０３】
また以上に説明してきた一実施の形態において、加飾シート２０は、複数の網点４１，４２，４３を含む意匠層３１を有した絵柄部２４と、絵柄部２４の非形成部である複数の透過部２６と、を有している。そして、透過部２６は、複数の網点４１，４２，４３に含まれる同一色の網点の配列方向に対して傾斜した長手方向ＬＤＴに線状に延びている。したがって、複数の透過部２６の配列方向ＡＤＴは、絵柄部２４によって表示される意匠のいずれかの色成分を表示する網点の配列方向に対して傾斜しやすくなる。一般的にモアレを目立たなくさせるには、干渉を生じさせる二つの要素が規則性を呈する方向を傾斜させることが有効とされている。したがって、本実施の形態によれば、網点４１，４２，４３の配列の規則性と透過部２６の配列の規則性との重ね合わせに起因したモアレによって生じる縞模様を効果的に目立たなくさせることができる。この結果、本実施の形態による加飾シート２０は、表示装置１０による画像の表示を可能としながら、非表示状態にある表示装置１０を隠蔽して予め期待された優れた意匠を表示することができる。このように表示装置１０の設置にあたって周囲環境との調和や統一性を確保し得る本実施の形態は、とりわけ意匠性が重要視される物品、例えば自動車や家具、住宅建材等の表面部材に好適である。
【０１０４】
なお、本実施の形態において、意匠層３１は複数色の網点を含む必要はなく、単一色の網点のみを含むようにしてもよい。このような例において、「複数の網点に含まれる同一色の網点」とは、意匠層３１の含まれる単一色の網点のことを意味する。
【０１０５】
上述した一実施の形態の一具体例において、加飾シート２０は、絵柄部２４及び透過部２６に対面して位置し且つ少なくとも絵柄部２４を支持する透明な基材部２２を、更に有している。透過部２６の少なくとも一方の端部は、基材部２２の縁部まで延びている。この具体例によれば、透過部２６が加飾シート２０の縁部まで延びるようにすることができる。これにより、加飾シート２０が、その全面に亘ってより均一な構成を有するようになり、表示装置１０を効果的に隠蔽することができる。その一方で、基材部２２上において透過部２６が複数の部分に分断されたとしても、当該複数に分断された透過部２６を基材部２２によって纏めて保持することができる。したがって、加飾シート２０の取り扱い性を維持しながら、加飾シート２０の表示装置隠蔽能を向上させることができる。
【０１０６】
以上に説明してきた一実施の形態において、巻取体１７は、複数の網点を含む意匠層３１を有した絵柄部２４と、絵柄部２４の非形成部である複数の透過部２６と、を含むシート状部材１８を有している。シート状部材１８は加飾シート２０として用いられる。巻取体１７は、シート状部材１８の長尺方向ＬＬＤと非平行な巻取軸線ＲＡを中心としてシート状部材１８を巻き取ってなる。このようなシート状部材１８の絵柄部２４において、意匠のいずれかの色成分を表示する網点４１，４２，４３は、通常、シート状部材１８の長尺方向ＬＬＤに沿って配列される。一方、本実施の形態において、透過部２６は、シート状部材１８の長尺方向ＬＬＤと非平行な長手方向ＬＤＴに線状に延びている。したがって、このシート状部材１８から歩留りを考慮して切り出された加飾シート２０において、透過部２６の配列方向ＡＤＴは、絵柄部２４によって表示される意匠のいずれかの色成分を表示する網点４１，４２，４３の配列方向Ｐ１〜Ｐ６に対して傾斜しやすくなる。一般的にモアレを目立たなくさせるには、干渉を生じさせる二つの要素が規則性を呈する方向を傾斜させることが有効とされている。したがって、本実施の形態によれば、網点４１，４２，４３の配列の規則性と透過部２６の配列の規則性との重ね合わせに起因したモアレによって生じる縞模様を効果的に目立たなくさせることができる。
【０１０７】
上述した一実施の形態の一具体例において、透過部２６は、シート状部材１８の長尺方向ＬＬＤに対して１０°以上８０°以下の角度をなす長手方向ＬＤＴに線状に延びている。この具体例によれば、シート状部材１８から切り出された加飾シート２０において、複数の透過部２６の配列方向ＡＤＴも、絵柄部２４によって表示される意匠のいずれかの色成分を表示する網点４１，４２，４３の配列方向Ｐ１〜Ｐ６に対して１０°以上８０°以下の角度をなしやすくなる。したがって、網点の配列の規則性と透過部２６の配列の規則性との重ね合わせに起因したモアレによって生じる縞模様を効果的に目立たなくさせることができる。
【０１０８】
一実施の形態を複数の具体例により説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更、追加等を行うことができる。
【０１０９】
以下、図面を参照しながら、変形の一例について説明する。以下の説明および以下の説明で用いる図面では、上述した具体例と同様に構成され得る部分について、上述の具体例における対応する部分に対して用いた符号と同一の符号を用いるとともに、重複する説明を省略する。
【０１１０】
上述した具体例において、加飾シート付き表示装置１が、表示装置１０と、表示装置１０の表示面１１上に配置された加飾シート２０と、を有する例を示したが、この例に限られない。例えば図１４及び図１５に示すように、加飾シート付き表示装置１が、パネル部材１５を有するようにしてもよい。パネル部材１５は、表示装置１０の表示面１１に対面する位置に透過領域１５ａを有している。透過領域１５ａは、パネル部材１５に設けられた開口や透明部分として構成され、画像光の透過を可能としている。パネル部材１５は、一例として、表示装置１０が設置される場所での壁材やケーシングとして構成され得る。
【０１１１】
図１４に示された例において、パネル部材１５は、表示装置１０及び加飾シート２０の間に位置している。この例において、パネル部材１５の透過領域１５ａの全域に表示面１１が露出している。また、加飾シート２０は、パネル部材１５の透過領域１５ａの全域を覆っている。すなわち、表示装置１０の表示面１１及び加飾シート２０は、それぞれ、パネル部材１５の透過領域１５ａと同一又は透過領域１５ａを内包可能な形状および大きさを有している。したがって、パネル部材１５の透過領域１５ａの面積は、表示面１１の面積以下となっており、加飾シート２０の面積以下となっている。
【０１１２】
その一方で、パネル部材１５は、図示された例とは異なり、加飾シート２０の表示装置１０とは反対側に配置されてもよい。すなわち、加飾シート２０が、パネル部材１５と表示装置１０との間に位置するようにしてもよい。この例では、加飾シート２０が表示装置１０を隠蔽しているため、パネル部材１５の透過領域１５ａは、加飾シート２０によって内包されるような大きさ及び形状を有していればよい。
【０１１３】
また、上述した実施の形態において、表示装置１０が面光源装置１２及び遮光シート１４を有する例を示したが、既に言及したように、この例に限られない。ドットマトリックス方式の表示装置、例えば液晶表示装置、有機ＥＬ表示装置等を加飾シート２０とともに用いることができる。ドットマトリックス方式の表示装置１０では、ドットを形成する画素の発光状態を個別に制御することで所望の画像を表示することができる。図１５及び図１６に示された例において、表示装置１０は、液晶表示パネルとして構成され、面光源装置１２及び面光源装置１２によって照明される表示パネル１６（例えば、液晶表示パネル）を有している。
【０１１４】
一具体例として、図１６は、画素配列の一例を示している。図１６に示された例において、表示装置１０は、互いに異なる色を発光する第１画素５１、第２画素５２及び第３画素５３を含んでいる。複数の第１画素５１は、互いに非平行な第１画素配列方向ＡＤＰ１及び第２画素配列方向ＡＤＰ２に配列されている。とりわけ図示された例において、第１画素配列方向ＡＤＰ１及び第２画素配列方向ＡＤＰ２は互いに垂直となっている。複数の第１画素５１は、第１画素配列方向ＡＤＰ１に第１画素配列ピッチＰＰ１で配列され、第２画素配列方向ＡＤＰ２に第２画素配列ピッチＰＰ２で配列されている。
【０１１５】
同様に、複数の第２画素５２は、第１画素配列方向ＡＤＰ１に第１画素配列ピッチＰＰ１で配列され、第２画素配列方向ＡＤＰ２に第２画素配列ピッチＰＰ２で配列されている。複数の第３画素５３は、第１画素配列方向ＡＤＰ１に第１画素配列ピッチＰＰ１で配列され、第２画素配列方向ＡＤＰ２に第２画素配列ピッチＰＰ２で配列されている。第１画素５１、第２画素５２及び第３画素５３は、第１画素配列方向ＡＤＰ１に交互に配列されている。複数の第１画素５１が第２画素配列方向ＡＤＰ２に連続して配列され、複数の第２画素５２が第２画素配列方向ＡＤＰ２に連続して配列され、複数の第３画素５３が第２画素配列方向ＡＤＰ２に連続して配列されている。そして、図１６において点線で囲むことによって例示しているように、第１画素配列方向ＡＤＰ１に隣り合う一つの第１画素５１、一つの第２画素５２及び一つの第３画素５３によって、単位画素が形成されている。
【０１１６】
ところで、このような表示装置１０との組み合わせにおいて、透過部２６が規則的に配列されている場合には、透過部の規則的な配列と表示装置の画素の規則的な配列との重ね合わせにより、モアレが生じてしまう。モアレは、表示装置によって表示される画像の品質を直接的に劣化させてしまうので、表示装置における重大な不具合と言える。この不具合を解決する手段として、透過部２６を次のように構成することが好ましい。
【０１１７】
すなわち、透過部２６は、表示装置１０に含まれる同一色の画素５１，５２，５３の配列方向ＡＤＰ１，ＡＤＰ２と非平行な長手方向ＬＤＴに線状に延びていることが好ましい。透過部２６は、表示装置１０に含まれるいずれの色の画素５１，５２，５３の配列方向ＡＤＰ１，ＡＤＰ２とも非平行な長手方向ＬＤＴに線状に延びていることがより好ましい。このとき、複数の透過部２６の配列方向ＡＤＴは、通常、複数の網点４１，４２，４３に含まれる同一色の網点の配列方向に対して傾斜した方向に延びやすくなる。一般的にモアレを目立たなくさせるには、干渉を生じさせる二つの要素が規則性を呈する方向を互いに対して傾斜させることが有効とされている。したがって、この例によれば、画素の配列の規則性と透過部２６の配列の規則性との重ね合わせに起因したモアレによって生じる縞模様を効果的に目立たなくさせることができる。
【０１１８】
また、図示された例において、透過部２６は、同一色の画素５１，５２，５３の配列方向ＡＤＰ１，ＡＤＰ２に対して１０°以上８０°以下の角度をなす方向に線状に延びている。とりわけ図示された例では、透過部２６は、いずれの色の画素５１，５２，５３の配列方向ＡＤＰ１，ＡＤＰ２に対して１０°以上８０°以下の角度をなす方向に線状に延びている。この例によれば、画素５１，５２，５３の配列の規則性と透過部２６の配列の規則性との重ね合わせに起因したモアレによって生じる縞模様を効果的に目立たなくさせることができる。
【０１１９】
なお、本実施の形態において、ドットマトリックス方式の表示装置１０は複数色の画素を含む必要はなく、単一色の画素のみを含むようにしてもよい。このような例において、「複数の画素に含まれる同一色の画素」とは、意匠層３１の含まれる単一色の画素のことを意味する。
【０１２０】
また、複数の透過部２６の配列ピッチＰＴは、複数の画素５１，５２，５３に含まれる同一色の画素の配列ピッチＰＰ１，ＰＰ２よりも５μｍ以上小さく又は５μｍ以上大きくなっていることが好ましく、複数の画素５１，５２，５３に含まれるいずれの色の画素の配列ピッチＰＰ１，ＰＰ２よりも５μｍ以上小さく又は５μｍ以上大きくなっていることがより好ましい。言い換えると、複数の透過部２６の配列ピッチＰＴと、複数の画素５１，５２，５３に含まれる同一色の画素の配列ピッチＰＰ１，ＰＰ２との差の大きさは、５μｍ以上であることが好ましい。また、複数の透過部２６の配列ピッチＰＴと、複数の画素５１，５２，５３に含まれる同一色の画素の配列ピッチＰＰ１，ＰＰ２との差の大きさは、２０μｍ以上であることがより好ましく、５０μｍ以上であることが更に好ましい。この具体例によれば、透過部２６の配列と画素の配列との重ね合わせに起因したモアレによって生じる縞模様を効果的に目立たなくさせることができる。また、この具体例によれば、各画素がいずれかの透過部２６と重なりやすくなり、各画素で発光された画像光がいずれかの透過部２６に通過して画像を形成しやすくなる。言い換えると、絵柄部２４に完全に覆われてしまう画素の発生を効果的に抑制することができる。
【０１２１】
さらに、図１３を参照して説明したように、透過部２６の第１長手方向縁２７及び第２長手方向縁２８が長手方向ＬＤＴに対して平行に延びないこともある。このような例では、第１長手方向縁２７の長手方向ＬＤＴにおいて隣り合う二つの内側凸部２７Ｂの長手方向ＬＤＴに沿った離間長さＤ１Ｙは、複数の画素５１，５２，５３に含まれる同一色の画素の配列ピッチよりも小さいことが好ましく、同一色の画素の配列ピッチの半分よりも小さいことがより好ましい。またより好ましくは、離間長さＤ１Ｙが、複数の画素５１，５２，５３に含まれるいずれの色の画素の配列ピッチよりも小さくなっており、より好ましくは、いずれの色の画素の配列ピッチの半分よりも小さくなっている。同様に、第２長手方向縁２８の長手方向ＬＤＴにおいて隣り合う二つの内側凸部２８Ｂの長手方向ＬＤＴに沿った離間長さＤ２Ｙは、複数の画素５１，５２，５３に含まれるいずれかの同一色の画素の配列ピッチよりも小さくなっていることが好ましく、いずれかの同一色の画素の配列ピッチの半分よりも小さくなっていることがより好ましい。またより好ましくは、離間長さＤ２Ｙが、複数の画素５１，５２，５３に含まれるいずれの色の画素の配列ピッチよりも小さくなっており、より好ましくは、いずれの色の画素の配列ピッチの半分よりも小さくなっている。
【０１２２】
このような例によれば、画素５１，５２，５３の配列ピッチＰＰ１，ＰＰ２に対して、第１長手方向縁２７の蛇行の周期が長くなり過ぎることを防止することができ、また、第２長手方向縁２８の蛇行の周期が長くなり過ぎることを防止することができる。このような例とは異なり、第１長手方向縁２７の内側凸部２７Ｂや第２長手方向縁２８の内側凸部２８Ｂが長手方向ＬＤＴに長く延びていると、この内側凸部２７Ｂ，２８Ｂが設けられている領域において、画素５１，５２，５３が透過部２６と重なって露出する領域が狭くなってしまう。すなわち、上述した離間長さＤ１Ｙ，Ｄ２Ｙを短く設定しておくことで、透過部２６の幅が狭くなっている領域を目立たなくすることができるとともに、透過部２６と重なる画素５１，５２，５３の目立った面積低下を効果的に回避することもできる。これにより、透過部２６を効果的に視認されにくくすることができ、あわせて表示装置１０によって明瞭かつ鮮明な画像を表示することもできる。
【０１２３】
なお、離間長さＤ１Ｙ，Ｄ２Ｙの調節は、一例として、上述した製造方法での透過部２６を形成するためのレーザー光の照射条件、より具体的にはレーザー光をパルス照射する際の照射条件を制御することで実現され得る。
【０１２４】
さらに、加飾シート２０が上述した遮光シート１４を含むようにしてもよい。このとき、遮光シート１４は、加飾シート２０のうちの絵柄部２４を基準として観察者とは反対側に位置する。遮光シート１４を含む加飾シート２０は、単独で加飾シート付き表示装置１を構成することができ、或いは、面光源装置１２との組合せによって加飾シート付き表示装置１を構成することもできる。さらに、加飾シート２０の透過部２６が、表示したい画像の外輪郭の内側だけに設けられるようにしてもよい。このような加飾シート２０は、遮光シート１４を用いることなく、単独で加飾シート付き表示装置１を構成することができ、或いは、面光源装置１２との組合せによって加飾シート付き表示装置１を構成することもできる。
【０１２５】
なお、以上において上述した実施の形態に対するいくつかの変形例を説明してきたが、当然に、複数の変形例を適宜組み合わせて適用することも可能である。
【符号の説明】
【０１２６】
ＤＳ１ 第１基準方向
ＤＳ２ 第２基準方向
ＮＤ   法線方向
ＬＤＴ 長手方向Ｌ
ＡＤＴ 配列方向Ａ
ＡＤ１ 第１網点配列方向
ＡＤ２ 第２網点配列方向
ＡＤ３ 第３網点配列方向
ＡＤ４ 第４網点配列方向
ＡＤ５ 第５網点配列方向
ＡＤ６ 第６網点配列方向
ＡＤＰ１      第１画素配列方向
ＡＤＰ２      第２画素配列方向
ＬＬＤ 長尺方向
ＲＡ   巻取軸線
ＣＬ   断裁線
ＰＴ   配列ピッチ
ＷＴ   幅
Ｐ１   第１網点配列ピッチ
Ｐ２   第２網点配列ピッチ
Ｐ３   第３網点配列ピッチ
Ｐ４   第４網点配列ピッチ
Ｐ５   第５網点配列ピッチ
Ｐ６   第６網点配列ピッチ
ＰＰ１ 第１画素配列ピッチ
ＰＰ２ 第２画素配列ピッチ
１     加飾シート付き表示装置
１０   表示装置
１１   表示面
１１ａ 周囲領域
１２   面光源装置
１３   発光面
１４   遮光シート
１４ａ 開口領域
１４ｂ 遮光領域
１５   パネル部材
１５ａ 透過領域
１６   表示パネル
１７   巻取体
１８   シート状部材
１８ａ 長手方向縁
１９   巻き取りコア
２０   加飾シート
２０ａ 第１端辺
２０ｂ 第２端辺
２０ｃ 第３端辺
２０ｄ 第４端辺
２２   基材部
２４   絵柄部
２６   透過部
２７   第１長手方向縁
２７Ｖ 仮想第１長手方向縁
２７Ａ，２７ＡＸ     外側凸部
２７Ｂ，２７ＢＸ     内側凸部
２８   第２長手方向縁
２８Ｖ 仮想第２長手方向縁
２８Ａ，２８ＡＸ     外側凸部
２８Ｂ，２８ＢＸ     内側凸部
３１   意匠層
３１Ａ 意匠膜
３２   遮光層
３２Ａ 遮光膜
３３   カバー層
３５   積層体
４１   第１網点
４２   第２網点
４３   第３網点
５１   第１画素
５２   第２画素
５３   第３画素
１００ レーザー照射装置
【図１】
2022001409.tif 000003
【図２】
2022001409.tif 000004
【図３】
2022001409.tif 000005
【図４】
2022001409.tif 000006
【図５】
2022001409.tif 000007
【図６】
2022001409.tif 000008
【図７Ａ】
2022001409.tif 000009
【図７Ｂ】
2022001409.tif 000010
【図７Ｃ】
2022001409.tif 000011
【図８】
2022001409.tif 000012
【図９】
2022001409.tif 000013
【図１０】
2022001409.tif 000014
【図１１】
2022001409.tif 000015
【図１２】
2022001409.tif 000016
【図１３】
2022001409.tif 000017
【図１４】
2022001409.tif 000018
【図１５】
2022001409.tif 000019
【図１６】
2022001409.tif 000020